(57)【特許請求の範囲】
【請求項１】
屋外側の扉面に、少なくともシリンダ錠が取り付けられ、該シリンダ錠の操作によって木口から進退するデッドボルトを備え、前記木口に固定され前記デッドボルトを挿通可能とする貫通孔を有する一方の折曲板と、閉鎖時における扉から開口枠へ亘って前記扉面と平行に延出し、前記扉と前記開口枠との隙間で露出する前記デッドボルトを覆う他方の折曲板とを具備するＬ形フロント板が取り付けられた扉に設けられるエスカチオンであって、
所望の形状の板材からなり、前記シリンダ錠を取り付けるためのシリンダ錠取付穴を有するとともに、前記開口枠に近接する一辺部が前記扉から前記開口枠へ亘って延出して前記Ｌ形フロント板の他方の折曲板を覆い隠し、該Ｌ形フロント板の他方の折曲板を含む前記扉と前記開口枠との隙間を覆うとともに、該他方の折曲板の近傍の前記隙間と前記シリンダ錠との前記扉面に散在する各部材の配設領域を一枚の前記板材にて、前記他方の折曲板とその周囲が広く覆われる形状とされて、前記扉面に密着して固着されることを特徴とするエスカチオン。
【請求項２】
屋外側の扉面に、把手と、シリンダ錠が取り付けられ、前記把手およびまたはシリンダ錠の操作によって木口から進退するデッドボルトを備え、前記木口に固定され前記デッドボルトを挿通可能とする貫通孔を有する一方の折曲板と、閉鎖時における扉から開口枠へ亘って前記扉面と平行に延出し、前記扉と前記開口枠との隙間で露出する前記デッドボルトを覆う他方の折曲板とを具備するＬ形フロント板が取り付けられた扉に設けられるエスカチオンであって、
所望の形状の板材からなり、前記把手を取り付けるための把手取付穴と、前記シリンダ錠を取り付けるためのシリンダ錠取付穴とを有するとともに、前記開口枠に近接する一辺部が前記扉から前記開口枠へ亘って延出して前記Ｌ形フロント板の他方の折曲板を覆い隠し、該Ｌ形フロント板の他方の折曲板を含む前記扉と前記開口枠との隙間を覆うとともに、該他方の折曲板の近傍の前記隙間と前記把手と前記シリンダ錠との前記扉面に散在する各部材の配設領域を一枚の前記板材にて、前記他方の折曲板とその周囲が広く覆われる形状とされて、前記扉面に密着して固着されることを特徴とするエスカチオン。
【請求項３】
請求項１または２記載のエスカチオンにおいて、
前記扉が、閉鎖時に、前記扉の扉面と前記開口枠の表面とが略面一とされ、
前記屋外側の扉面から段差を生じて突出し配設される前記Ｌ形フロント板の他方の折曲板を進入させ収容する凹部が、前記扉の扉面に密着する固着面に形成されたことを特徴とするエスカチオン。
【発明の詳細な説明】
【０００１】
【発明の属する技術分野】
本発明は、把手やシリンダ錠、Ｌ形フロント板の取り付けられた屋外側の扉面をを覆う化粧板であるエスカチオンに関する。
【０００２】
【従来の技術】
図６に示すように、木口１からデッドボルト３を進退させる施錠装置（図示せず）が設けられた扉５は、屋外側の扉面５ａに、把手７と、デッドボルト３を進退させるためのシリンダ錠９とが露出する。デッドボルト３は、扉５が閉鎖された状態で木口１から突出され、図示しない開口枠に設けられたストライク板のトロヨケに係合する。この際、木口１と開口枠との隙間から、デッドボルト３が僅かに露出することとなる。
【０００３】
近年、バール等を木口１と開口枠との隙間に挿入し、デッドボルト３の係合構造を破壊することで、施錠装置を不正に解錠する犯罪行為が報告されている。従来、このような行為に対処するためのものにＬ形フロント板１１がある。
【０００４】
Ｌ形フロント板は、ステンレス等の金属材料からなるＬ字形状の金具で、デッドボルト３を挿通可能にした貫通孔を有する一方の折曲板１１ａを木口１に固定し、他方の折曲板１１ｂを屋外側の扉面５ａと平行に、扉５から開口枠へ亘って延出させることで、木口１と開口枠との隙間で露出するデッドボルト３を覆い、上記のような不正解錠を行い難くすることができる。
【０００５】
【発明が解決しようとする課題】
しかしながら、把手、シリンダ錠の露出した屋外側の扉面に、さらにステンレス製等のＬ形フロント板を取り付けると、複数の別部材が扉面に散在することとなり、意匠性を低下させる。このことは、特に図６に示したグリップ式等の大きな把手７を取り付けたときに顕著となった。
また、従来のＬ形フロント板は、デッドボルトの近傍のみを覆うので、バール等の挿入を困難なものにする効果は得られるが、デッドボルトの所在をわかり難くする隠蔽手段としての効果はあまり得ることができなかった。
【０００６】
本発明は上記状況に鑑みてなされたもので、把手、シリンダ錠、Ｌ形フロント板の備えられた屋外側扉面の見栄えを良くし、しかも、デッドボルトの位置を把握し難くできるエスカチオンを提供し、意匠性、防犯性の向上を図ることを目的とする。
【０００７】
【課題を解決するための手段】
次に、上記の課題を解決するための手段を、実施の形態に対応する図面を参照して説明する。
この発明の請求項１記載のエスカチオン４５は、屋外側の扉面２１ａに、少なくともシリンダ錠２５が取り付けられ、該シリンダ錠２５の操作によって木口２９から進退するデッドボルト３３を備え、前記木口２９に固定され前記デッドボルト３３を挿通可能とする貫通孔を有する一方の折曲板３５ａと、閉鎖時における扉２１から開口枠３７へ亘って前記扉面２１ａと平行に延出し、前記扉２１と前記開口枠３７との隙間３９で露出する前記デッドボルト３３を覆う他方の折曲板３５ｂとを具備するＬ形フロント板３５が取り付けられた扉２１に設けられるエスカチオン４５であって、
所望の形状の板材からなり、前記シリンダ錠２５を取り付けるためのシリンダ錠取付穴４９を有するとともに、前記開口枠３７に近接する一辺部４５ｂが前記扉２１から前記開口枠３７へ亘って延出して前記Ｌ形フロント板３５の他方の折曲板３５ｂを覆い隠し、該Ｌ形フロント板３５の他方の折曲板３５ｂを含む前記扉２１と前記開口枠３７との隙間を覆うとともに、該他方の折曲板３５ｂの近傍の前記隙間３７と前記シリンダ錠２５との前記扉面２１に散在する各部材の配設領域を一枚の前記板材にて、前記他方の折曲板３５ｂとその周囲が広く覆われる形状とされて、前記扉面２１ａに密着して固着されることを特徴とする。
【０００８】
また、請求項２記載のエスカチオン４５は、屋外側の扉面２１ａに、把手２３と、シリンダ錠２５が取り付けられ、前記把手２３およびまたはシリンダ錠２５の操作によって木口２９から進退するデッドボルト３３を備え、前記木口２９に固定され前記デッドボルト３３を挿通可能とする貫通孔を有する一方の折曲板３５ａと、閉鎖時における扉２１から開口枠３７へ亘って前記扉面２１ａと平行に延出し、前記扉２１と前記開口枠３７との隙間３９で露出する前記デッドボルト３３を覆う他方の折曲板３５ｂとを具備するＬ形フロント板３５が取り付けられた扉２１に設けられるエスカチオン４５であって、
所望の形状の板材からなり、前記把手２３を取り付けるための把手取付穴４７と、前記シリンダ錠２５を取り付けるためのシリンダ錠取付穴４９とを有するとともに、前記開口枠３７に近接する一辺部４５ｂが前記扉２１から前記開口枠３７へ亘って延出して前記Ｌ形フロント板３５の他方の折曲板３５ｂを覆い隠し、該Ｌ形フロント板３５の他方の折曲板３５ｂを含む前記扉２１と前記開口枠３７との隙間３９を覆うとともに、該他方の折曲板３５ｂの近傍の前記隙間３９と前記把手２３と前記シリンダ錠２５との前記扉面２１ａに散在する各部材の配設領域を一枚の前記板材にて、前記他方の折曲板３５ｂとその周囲が広く覆われる形状とされて、前記扉面２１に密着して固着されることを特徴とする。
【０００９】
このエスカチオン４５では、屋外側の扉面２１ａに、散在して取り付けられた複数の各部材（把手２３，シリンダ錠２５）が一つの板材によって一体的なものとなり、しかも、Ｌ形フロント板４５の他方の折曲板３５ｂが覆い隠されて表出しなくなるので、露出部品数も減って、見栄えが良くなる。また、このエスカチオン４５では、一辺部４５ｂが扉２１から開口枠３７へ亘って延出され、Ｌ形フロント板３５の他方の折曲板３５ｂを含むその近傍の扉２１と開口枠３７との隙間３９が広い面積で覆われることになり、Ｌ形フロント板３５、すなわち、デッドボルト３３の位置や大きさが把握し難くなって、デッドボルト３３の係合構造を破壊する不正解錠が困難となる。
【００１０】
請求項３記載のエスカチオンは、請求項１または２記載のエスカチオン４５において、
前記扉２１が、閉鎖時に、前記扉２１の扉面２１ａと前記開口枠３７の表面３７ａとが略面一とされ、
前記屋外側の扉面２１ａから段差を生じて突出し配設される前記Ｌ形フロント板３５の他方の折曲板３５ｂを進入させ収容する凹部５１が、前記扉２１の扉面２１ａに密着する固着面４５ａに形成されたことを特徴とする。
【００１１】
このエスカチオン４５では、固着面４５ａに凹部５１が形成され、この凹部５１に、屋外側の扉面２１ａから突出するＬ形フロント板３５の他方の折曲板３５ｂが入るので、この突出したＬ形フロント板３５の他方の折曲板３５ｂによって生じていた段差が凹部５１によって収容され、エスカチオン４５の背面となる固着面４５ａを屋外側の扉面２１ａに密着させた見栄えの良い取り付けが可能となる。そして扉２１の扉面２１ａと、開口枠３７の表面３７ａとが略面一なものとして構成される。
【００１２】
【発明の実施の形態】
以下、本発明に係るエスカチオンの好適な実施の形態を図面を参照して詳細に説明する。
図１は本発明に係るエスカチオンが取り付けられた扉の斜視図、図２は図１の分解斜視図、図３は図１のエスカチオンが取り付けられた扉及び開口枠の水平断面図、図４はレバー式の把手が設けられた扉に取り付けられるエスカチオンの正面図、図５は図４の水平断面図である。
【００１３】
扉２１の屋外側の扉面２１ａには、把手２３と、シリンダ錠２５が設けられている。本実施の形態において、把手２３は、中央部が柄部２３ａとなり、その上下端部が扉面２１ａに取り付けられる、所謂グリップ形状のものとなっている。
【００１４】
扉２１の内部には、図示しない錠機構を有した錠箱が内蔵されている。錠機構には把手２３の図示しない可動杆が連結されている。本実施の形態では、把手２３は、押すことにより、或いは引くことによりこの可動杆を介して錠機構に操作力が入力できるようになっている。可動杆２７を介して操作力の入力された錠機構は、扉２１の木口２９からラッチボルト３１を進退させて、扉２１の仮締めと仮締めの解除を可能としている。
【００１５】
また、シリンダ錠２５は、合鍵が挿入されると、図示しない固定筒と内筒との境界面上に、ピンタンブラー等のシアーラインが並び、固定筒に対して内筒が回動可能となる。この内筒の回動操作力は、上記の錠機構に入力されるようになっている。シリンダ錠２５を介して操作力の入力された錠機構は、扉２１の木口２９からデッドボルト３３を進退させて、扉２１の施解錠を可能としている。また、この施解錠は、扉２１の屋内側の扉面２１ｂに設けられたサムターン３４によっても行えるようになっている。
【００１６】
木口２９のラッチボルト３１及びデッドボルト３３が進退する部分、木口２９に表出する錠箱の表板部分には、Ｌ形フロント板３５が取り付けられている。Ｌ形フロント板３５は、従来同様、ステンレス等の金属材料からなるＬ字形状の金具で、ラッチボルト３１，デッドボルト３３を挿通可能とする貫通孔を有した一方の折曲板３５ａを木口２９に固定し、他方の折曲板３５ｂを屋外側の扉面２１ａと平行に、扉２１から開口枠３７（図３参照）へ亘って延出させることで、木口２９と開口枠３７との隙間３９で露出する少なくともデッドボルト３３を覆う。なお、本実施の形態では、ラッチボルト３１も一緒に覆う大きさを有している。
【００１７】
図３に示すように、扉２１は、閉鎖時、開口枠３７の戸当たり４１に当接して、屋外側の扉面２１ａが、開口枠３７の表面３７ａと略面一となる。従って、Ｌ形フロント板３５の他方の折曲板３５ｂは、屋外側の扉面２１ａから若干量浮上した状態で突出する。つまり、折曲板３５ｂと扉面２１ａとには段差が生じている。
【００１８】
把手２３，シリンダ錠２５，Ｌ形フロント板３５を備えた扉２１には、本実施の形態では略四角形の板材からなるエスカチオン４５が取り付けられている。エスカチオン４５は、ステンレス材、アルミ材、合成樹脂材などからなり、扉面２１ａとの意匠性の兼ね合いや、把手２３やシリンダ錠２５の表面と適合する塗装や化粧フィルムの貼着など、表面処理等が適宜施されたものとなっている。
【００１９】
このエスカチオン４５は、把手２３を取り付けるための把手取付穴４７と、シリンダ錠２５を取り付けるためのシリンダ錠取付穴４９とを有している。また、エスカチオン４５の背面となる扉２１への固着面４５ａには、凹部５１が形成されている。凹部５１は、扉面２１ａから突出して配設されたＬ形フロント板３５を進入させるようになっている。
【００２０】
エスカチオン４５は、把手２３及びシリンダ錠２５の取り付けられる扉面２１ａの領域面に固着される。固着の方法は、接着剤により、或いは背面４５ａに形成した図示しないネジ穴に、扉２１側からネジを螺着することにより行うことができる。
【００２１】
従って、把手２３，シリンダ錠２５，Ｌ形フロント板３５，エスカチオン４５の取り付けは、Ｌ形フロント板３５を取り付けた後、接着剤等により扉面２１ａにエスカチオン４５を取り付け、その後、エスカチオン４５の把手取付穴４７に把手２３を取り付けるとともに、シリンダ錠取付穴４９にシリンダ錠２５を取り付けることにより行われる。また、扉２１に、把手２３，シリンダ錠２５，Ｌ形フロント板３５が既設である場合には、把手２３，シリンダ錠２５を取り外した後に、接着剤等により扉面２１ａにエスカチオン４５を取り付け、その後、エスカチオン４５の把手取付穴４７に把手２３を取り付け、シリンダ錠取付穴４９にシリンダ錠２５を取り付ける。
【００２２】
エスカチオン４５は、上記のように略四角形の外形状を有し、開口枠３７に近接する一辺部４５ｂが、図１に示すように、扉２１から開口枠３７へ亘って延出する大きさとなっている。従って、扉２１と開口枠３７との隙間３９は、このエスカチオン４５の設けられた領域で覆われるようになっている。すなわち、エスカチオン４５は、Ｌ形フロント板３５を含み、その近傍の隙間３９を大きく覆うこととなる。
【００２３】
上記のエスカチオン４５によれば、屋外側の扉面２１ａに、散在して取り付けられた複数の別部材である把手２３，シリンダ錠２５が一つの板材であるエスカチオン４５によって一体的なものとなってデザインされ、しかも、Ｌ形フロント板３５が表出しなくなるので、露出部品数も減って、屋外側の扉面２１ａの見栄えを良くすることができる。
【００２４】
また、一辺部４５ｂが扉２１から開口枠３７へ亘って延出され、Ｌ形フロント板３５が広い面積で覆われることになるので、Ｌ形フロント板３５、すなわち、デッドボルト３３の位置や大きさが把握し難くなって、デッドボルト３３の係合構造を破壊する不正解錠が困難となる。
【００２５】
さらに、背面４５ａに凹部５１が形成され、この凹部５１に、屋外側の扉面２１ａから突出するＬ形フロント板３５が入るので、突出したＬ形フロント板３５によって生じていた段差が凹部５１によって収容され、エスカチオン４５の背面４５ａを屋外側の扉面２１ａに密着させて、見栄えの良い取り付けを可能にすることができる。
【００２６】
なお、上記した実施の形態では、把手２３がグリップ形状の場合を例に説明したが、本発明に係るエスカチオンは、その他、図４，図５に示すレバー形状の把手６１が取り付けられた扉２１に設けられるものであってもよく、特に把手の形状、大きさ等に限定されることなく採用が可能であり、その場合においても上記した同様の作用・効果を奏するものである。なお、図４，図５は図１〜図３に示した部材と同等の部材には同一の符号を付して表している。また、図５中、６３は錠箱、６７はストライク板、６９はトロヨケを表す。
【００２７】
また、上記した実施の形態では、エスカチオン４５の形状を略四角形に形成した例について説明したが、このエスカチオン４５の形状は、扉２１や、把手２３などとの意匠性に合わせ、その他の形状としてもよく、所望の形状とするとともに、一辺部４５ｂがＬ形フロント板３５を覆う形状とされれば、上記同様の作用・効果を奏するものである。
【００２８】
【発明の効果】
以上説明したように、本発明に係るエスカチオンによれば、扉面に散在して配設され取り付けられる把手やシリンダ錠等複数の各部材が、把手を取り付けるための把手取付穴や、シリンダ錠を取り付けるためのシリンダ錠取付穴を有する所望の形状とされる一つの板材によって一体的なものとなり、しかも、一辺部が扉から開口枠へ亘って延出してＬ形フロント板の他方の折曲板を覆って扉面に密着して固着されることから、このＬ形フロント板の他方の折曲板が覆い隠されて表出しなくなるので、露出部品数も減って、見栄えを良くすることができる。
【００２９】
また、エスカチオンの一辺部が扉から開口枠へ亘って延出され、扉面と平行に延出するＬ形フロント板の他方の折曲板を含むその近傍の扉と開口枠との隙間の領域が、広く覆われることになり、Ｌ形フロント板の他方の折曲板、すなわち、デッドボルトの位置や大きさが把握し難くなって、扉と開口枠との隙間に位置するデッドボルトの係合構造を破壊する不正解錠が困難となる。そして、扉の扉面と開口枠の表面とが略面一なものとして構成できる。この結果、意匠性、防犯性を向上させることができる。
【００３０】
さらに、本発明のエスカチオンによれば、固着面に凹部を形成し、この凹部に、屋外側の扉面から突出するＬ形フロント板の他方の折曲板を進入させる構成とすることで、扉面より突出したＬ形フロント板の他方の折曲板によって生じていた段差が凹部によって収容でき、エスカチオンの背面となる固着面を屋外側の扉面に密着させた見栄えの良い取り付けを可能にすることができる。そして扉の扉面と、開口枠の表面とが略面一なものとして構成できることとなる。
【図面の簡単な説明】
【図１】本発明に係るエスカチオンが取り付けられた扉の斜視図である。
【図２】図１の分解斜視図である。
【図３】図１のエスカチオンが取り付けられた扉及び開口枠の水平断面図である。
【図４】レバー式の把手が設けられた扉に取り付けられるエスカチオンの正面図である。
【図５】図４の水平断面図である。
【図６】Ｌ形フロント板が露出して取り付けられた扉の斜視図である。
【符号の説明】
２１…扉
２１ａ…屋外側の扉面
２３，６１…把手
２５…シリンダ錠
２９…木口
３３…デッドボルト
３５…Ｌ形フロント板
３７…開口枠
３９…隙間
４５…エスカチオン
４５ａ…固着面
４５ｂ…一辺部
４７…把手取付穴
４９…シリンダ錠取付穴
５１…凹部
【図１】
0004020693.tif 000002
【図２】
0004020693.tif 000003
【図３】
0004020693.tif 000004
【図４】
0004020693.tif 000005
【図５】
0004020693.tif 000006
【図６】
0004020693.tif 000007